(57)【要約】【課題】走査ライン方向の発光画素数を増加させる場合であっても、Ｄｕｔｙ比の増加に伴う印加電流及び電圧の増加を抑制でき、また、表示部の高精細化を可能とする有機ＥＬディスプレイを提供する。【解決手段】基板上に互いに交差するように対向配置される信号電極１と走査電極２との間に少なくとも発光層を有する機能性有機層を積層形成してなる有機ＥＬ素子を備えた有機ＥＬディスプレイ。信号電極１は、マトリクス状に複数配置される画素電極１ａと、画素電極１ａの各列において異なる画素電極１ａ接続さる複数の配線電極１ｂと、を有し、前記配線電極は少なくともその一部が絶縁層を介して積層形成され、走査電極２は、それぞれ異なる配線電極１ｂに接続される複数の画素電極１ａと対向するように複数形成されてなる。【選択図】  図１
2008181986.tif 000002
【特許請求の範囲】
【請求項１】
基板上に互いに交差するように対向配置される信号電極と走査電極との間に少なくとも発光層を有する機能性有機層を積層形成してなる有機ＥＬ素子を備えた有機ＥＬディスプレイであって、
前記信号電極は、マトリクス状に複数配置される画素電極と前記画素電極の各列においてそれぞれ異なる前記画素電極と接続される複数の配線電極とを有し、
前記配線電極は、少なくともその一部が絶縁層を介して積層形成され、
前記走査電極は、それぞれ異なる前記配線電極に接続される複数の前記画素電極と対向するように複数形成されてなることを特徴とする有機ＥＬディスプレイ。
【請求項２】
前記走査電極は、同一の前記配線電極と接続される前記画素電極と対向するものを１ユニットとして分類され、
異なるユニットに分類される複数の前記走査電極を同一タイミングで駆動制御してなることを特徴とする請求項１に記載の有機ＥＬディスプレイ。
【請求項３】
基板上に互いに交差するように対向配置される信号電極と走査電極との間に少なくとも発光層を有する機能性有機層を積層形成してなる有機ＥＬ素子を備えた有機ＥＬディスプレイであって、
前記信号電極は、マトリクス状に複数配置される画素電極と前記画素電極の各列においてそれぞれ異なる前記画素電極と接続される複数の配線電極とを有し、
前記配線電極は、少なくともその一部が絶縁層を介して積層形成され、
前記走査電極は、前記画素電極に対して複数交差するように形成されまた同一の前記画素電極と交差するものを１ユニットとして分類され、
異なるユニットに分類される複数の前記走査電極を同一タイミングで駆動制御してなることを特徴とする有機ＥＬディスプレイ。
【請求項４】
前記配線電極は、前記画素電極の各列間に配線されてなることを特徴とする請求項１または請求項３に記載の有機ＥＬディスプレイ。
【請求項５】
前記配線電極は、前記画素電極よりも電気抵抗の低い材料によって形成されてなることを特徴とする請求項１または請求項３に記載の有機ＥＬディスプレイ。
【請求項６】
前記配線電極は、前記基板の一辺側に向けて配線されてなることを特徴とする請求項１または請求項３に記載の有機ＥＬディスプレイ。
【請求項７】
基板上に互いに交差するように対向配置される信号電極と走査電極との間に少なくとも発光層を有する機能性有機層を積層形成してなる有機ＥＬ素子を備えた有機ＥＬディスプレイであって、
前記信号電極は、マトリクス状に複数配置される画素電極と前記画素電極の各列においてそれぞれ異なる前記画素電極と接続され絶縁層を介して前記画素電極の下方に形成される複数の配線電極とを有し、
前記走査電極は、それぞれ異なる前記配線電極に接続される複数の前記画素電極と対向するように複数形成されてなることを特徴とする有機ＥＬディスプレイ。
【請求項８】
基板上に互いに交差するように対向配置される信号電極と走査電極との間に少なくとも発光層を有する機能性有機層を積層形成してなる有機ＥＬ素子を備えた有機ＥＬディスプレイであって、
前記信号電極は、マトリクス状に複数配置される画素電極と前記画素電極の各列においてそれぞれ異なる前記画素電極と接続され絶縁層を介して前記画素電極の下方に形成される複数の配線電極とを有し、
前記走査電極は、前記画素電極に対して複数交差するように形成されまた同一の前記画素電極と交差するものを１ユニットとして分類され、
異なるユニットに分類される複数の前記走査電極を同一タイミングで駆動制御してなることを特徴とする有機ＥＬディスプレイ。
【請求項９】
前記絶縁層に前記画素電極と前記配線電極とを接続するための孔部が形成されてなることを特徴とする請求項７または請求項８に記載の有機ＥＬディスプレイ。
【請求項１０】
前記配線電極は、前記基板の一辺側に向けて配線されてなることを特徴とする請求項７または請求項８に記載の有機ＥＬディスプレイ。
【発明の詳細な説明】
【技術分野】
【０００１】
本発明は、有機ＥＬ（エレクトロルミネッセンス）素子を用いた有機ＥＬデイスプレイに関し、特にパッシブ駆動の有機ＥＬデイスプレイに関する。
【背景技術】
【０００２】
有機材料によって形成される自発光素子である有機ＥＬ素子は、例えば、ＩＴＯ（Ｉｎｄｉｕｍ  Ｔｉｎ  Ｏｘｉｄｅ）等からなる陽極と、少なくとも発光層を有する有機層と、アルミニウム（Ａｌ）等からなる非透光性の陰極と、を順次積層して前記有機ＥＬ素子を形成するものが知られている（例えば、特許文献１参照）。
かかる有機ＥＬ素子は、前記陽極から正孔を注入し、また、前記陰極から電子を注入して正孔及び電子が前記発光層にて再結合することによって光を発すると解されている。
【０００３】
また、有機ＥＬ素子を透光性の基板上に設けてなる有機ＥＬディスプレイにおいて、その駆動方式としてパッシブ駆動方式が知られている。パッシブ駆動の有機ＥＬディスプレイは、透光性基板上に信号電極を複数のライン状に形成し、走査電極を前記信号電極と交差するように複数のライン状に形成して前記信号電極と前記走査電極との交差位置を発光画素とし、この発光画素を複数配置して発光部を構成するものである。かかる有機ＥＬディスプレイは、線順次走査された画像が前記表示部に表示される。かかるパッシブ駆動の有機ＥＬディスプレイは、アクティブ駆動方式と比較して製造が容易であるといった利点がある。
【特許文献１】特開昭５９−１９４３９３号公報
【特許文献２】特開２００１−２１７０８１号公報
【発明の開示】
【発明が解決しようとする課題】
【０００４】
また、情報の多量化及び多様化によって、近年ディスプレイにはさらなる大型化・高精細化が求められている。しかしながら、パッシブ駆動の有機ＥＬディスプレイにおいて前記発光画素を増加させる場合、特に前記走査電極の増加に伴って発光駆動のＤｕｔｙ比が増加して前記走査電極１ラインあたりの電圧印加時間が短くなり、これを補うために印加する電流・電圧が比例して増加してしまう。そのため、駆動ＩＣや製品仕様上の要求制限によって前記走査電極側の発光画素数を増加させることが困難であるという問題点があった。
【０００５】
上記の問題点に対して、パッシブ駆動における低電圧・低電流化のための手段として、特許文献２には、信号電極を矩形状の画素部と細線状の引き出し線部とが交互に連続する櫛歯状の電極パターンで形成し、走査電極との交差部において異なる信号電極の画素部が互いに入れ子状に組み合わされ、前記交差部を１つの走査電極と少なくとも２つの信号電極（画素部）とが交差するように構成する方法が開示されている。しかしながら、かかる方法では、各画素間に配置される信号電極の配線（引き出し線部）が増加し、各画素間が広くなってしまうために表示部の高精細化を妨げるといった問題点があり、さらなる改善の余地があった。
【０００６】
本発明は、前述した問題点に着目し、走査ライン方向の発光画素数を増加させる場合であっても、Ｄｕｔｙ比の増加に伴う印加電流及び電圧の増加を抑制でき、また、表示部の高精細化を可能とする有機ＥＬディスプレイを提供することを目的とする。
【課題を解決するための手段】
【０００７】
本発明は、前記課題を解決するために、基板上に互いに交差するように対向配置される信号電極と走査電極との間に少なくとも発光層を有する機能性有機層を積層形成してなる有機ＥＬ素子を備えた有機ＥＬディスプレイであって、前記信号電極は、マトリクス状に複数配置される画素電極と前記画素電極の各列においてそれぞれ異なる前記画素電極と接続される複数の配線電極とを有し、前記配線電極は、少なくともその一部が絶縁層を介して積層形成され、前記走査電極は、それぞれ異なる前記配線電極に接続される複数の前記画素電極と対向するように複数形成されてなることを特徴とする。
【０００８】
また、前記走査電極は、同一の前記配線電極に接続される前記画素電極と対向するものを１ユニットとして分類され、異なるユニットに分類される複数の前記走査電極を同一タイミングで駆動制御してなることを特徴とする。
【０００９】
本発明は、前記課題を解決するために、基板上に互いに交差するように対向配置される信号電極と走査電極との間に少なくとも発光層を有する機能性有機層を積層形成してなる有機ＥＬ素子を備えた有機ＥＬディスプレイであって、前記信号電極は、マトリクス状に複数配置される画素電極と前記画素電極の各列においてそれぞれ異なる前記画素電極と接続される複数の配線電極とを有し、前記配線電極は、少なくともその一部が絶縁層を介して積層形成され、前記走査電極は、前記画素電極に対して複数交差するように形成されまた同一の前記画素電極と交差するものを１ユニットとして分類され、異なるユニットに分類される複数の前記走査電極を同一タイミングで駆動制御してなることを特徴とする。
【００１０】
また、前記配線電極は、前記画素電極の各列間に配線されてなることを特徴とする。
【００１１】
また、前記配線電極は、前記画素電極よりも電気抵抗の低い材料によって形成されてなることを特徴とする。
【００１２】
また、前記配線電極は、前記基板の一辺側に向けて配線されてなることを特徴とする。
【００１３】
本発明は、前記課題を解決するために、基板上に互いに交差するように対向配置される信号電極と走査電極との間に少なくとも発光層を有する機能性有機層を積層形成してなる有機ＥＬ素子を備えた有機ＥＬディスプレイであって、前記信号電極は、マトリクス状に複数配置される画素電極と前記画素電極の各列においてそれぞれ異なる前記画素電極と接続され絶縁層を介して前記画素電極の下方に形成される複数の配線電極とを有し、前記走査電極は、それぞれ異なる前記配線電極に接続される複数の前記画素電極と対向するように複数形成されてなることを特徴とする。
【００１４】
本発明は、前記課題を解決するために、基板上に互いに交差するように対向配置される信号電極と走査電極との間に少なくとも発光層を有する機能性有機層を積層形成してなる有機ＥＬ素子を備えた有機ＥＬディスプレイであって、前記信号電極は、マトリクス状に複数配置される画素電極と前記画素電極の各列においてそれぞれ異なる前記画素電極と接続され絶縁層を介して前記画素電極の下方に形成される複数の配線電極とを有し、前記走査電極は、前記画素電極に対して複数交差するように形成されまた同一の前記画素電極と交差するものを１ユニットとして分類され、異なるユニットに分類される複数の前記走査電極を同一タイミングで駆動制御してなることを特徴とする。
【００１５】
また、前記絶縁層に前記画素電極と前記配線電極とを接続するための孔部が形成されてなることを特徴とする。
【００１６】
また、前記配線電極は、前記基板の一辺側に向けて配線されてなることを特徴とする。
【発明の効果】
【００１７】
本発明は、有機ＥＬ素子を用いた有機ＥＬデイスプレイに関し、特にパッシブ駆動の有機ＥＬデイスプレイに関するものであって、走査ライン方向の発光画素数を増加させる場合であっても、Ｄｕｔｙ比の増加に伴う印加電流及び電圧の増加を抑制でき、また、表示部の高精細化が可能となる。
【発明を実施するための最良の形態】
【００１８】
以下、添付図面に基づいて本発明の実施形態について説明する。
【００１９】
まず、本発明の第一の実施形態である有機ＥＬディスプレイを添付図面に基づいて説明する。前記有機ＥＬディスプレイは、その基本構成として、透光性のガラス基板上に互いに交差するように対向配置される信号電極と走査電極との間に少なくとも発光層を有する機能性有機層を積層形成してなる有機ＥＬ素子を備えるものである。
【００２０】
図１は、本発明の第一の実施形態である前記有機ＥＬディスプレイの電極構造の一例を示すものである。前記有機ＥＬディスプレイにおいては、例えば前記ガラス基板上に、画素電極１ａと配線電極１ｂとを有し陽極となる信号電極１と、信号電極１と交差するように形成され陰極となる走査電極２と、が形成されている。
【００２１】
前記有機ＥＬディスプレイは、信号電極１の画素電極１ａと走査電極２との対向（交差）個所を１ドットとして発光画素を形成し、この発光画素を複数配置して発光部を構成している。なお、信号電極１と走査電極２とが交差する部分で発光画素となる部分以外には絶縁膜（図示しない）が形成されている。これにより陽極と陰極との短絡を防ぐことが可能となっている。
【００２２】
画素電極１ａは、例えばＩＴＯ（Ｉｎｄｉｕｍ  Ｔｉｎ  Ｏｘｉｄｅ）等の透光性の導電材料をスパッタリング法等の方法で前記ガラス基板上に層状に形成し、例えばフォトリソグラフィー法にて所定形状にパターニングしてなるものである。本実施形態においては、画素電極１ａは、略矩形状に形成され前記ガラス基板上にマトリクス状に複数配置される。
【００２３】
配線電極１ｂは、クロム（Ｃｒ）等の画素電極１ａの構成材料よりも電気抵抗の低い材料をスパッタリング法等の方法で前記ガラス基板上に層状に形成し、例えばフォトリソグラフィー法にて所定形状にパターニングしてなるものである。配線電極１ｂは、図２の要部拡大図（画素電極１ａの１列についてのみ図示している）に示すように、画素電極１ａの各列の間に配線形成され、画素電極１ａの各列において各画素電極１ａと交互に接続される。すなわち、本実施形態においては画素電極１ａの各列に対して２本の配線電極１ｂがそれぞれ異なる画素電極１ａと接続されている。また、図３の要部断面図に示すように、配線電極１ｂを絶縁性樹脂材料からなる絶縁層３を介して積層配置して立体配線構造としている。なお、図３において、４は前述の短絡防止用の絶縁膜であり、５は機能性有機層であり、６はガラス基板である。また、配線電極１ｂはそれぞれ前記ガラス基板の一辺側に向けて配線され、信号電極側駆動回路７に接続される。信号電極側駆動回路７は、後述する走査電極側駆動回路８による走査電極２の順次走査に応じて所定の画像を表示するべく配線電極１ｂを介して各画素電極１ａに給電するものである。
【００２４】
走査電極２は、アルミニウム（Ａｌ）等の導電材料を蒸着法等によって層状に形成するとともに、絶縁性の樹脂材料をライン状に形成してなるリブ２ａによって複数行のライン状に分離形成してなるものである。走査電極２は、それぞれ画素電極１ａの各列と交差し、画素電極１ａの各列において異なる配線電極１ｂに接続される２つの画素電極１ａと対向するように形成される。また、走査電極２はそれぞれ走査電極側駆動回路８に接続される。走査電極側駆動回路８は、所定のＤｕｔｙ比で走査電極２を順次走査するものである。
【００２５】
かかる有機ＥＬディスプレイは、Ｄｕｔｙ駆動する走査電極２の各ラインに対して異なる配線電極１ｂに交互に接続された２個（本）の画素電極１ａが対向するように配置するものである。すなわち、走査電極２の１ライン走査時に表示部の縦方向（走査電極２に対して垂直方向）の２ドットを信号電極側駆動回路７側で個々に点灯制御する事ができ、縦方向のドット数を増加させる場合であっても輝度寿命の低下，電圧上昇あるいは消費電流及び消費電力の増加を抑制することが可能となる。さらに、本実施形態の有機ＥＬディスプレイは、配線電極１ｂを立体配線することによってドット間寸法を小さくすることができ、配線電極１ｂの増加に係わらず表示部の高精細化を実現することができる。
【００２６】
なお、本実施形態においては、画素電極１ａの各列を２本の配線電極１ｂで交互接続するものであったが、本発明は、３本以上の配線電極で画素電極の各列に対して異なる画素電極と接続する構成であっても良い。すなわち、走査電極の１ラインに対して異なる配線電極に接続される３つ以上の画素電極が対向して配置される構成とするものであっても良い。かかる構成においても画素電極の各列間に配置される配線電極を絶縁層を介して積層形成する立体配線構造とすることで、配線電極の増加に係わらず表示部の高精細化を実現することができる。
【００２７】
図４は、画素電極１ａの１列に対して４本の配線電極を接続する場合の電極構造の一例を示すものである。この場合、配線電極として第一の配線電極１ｃと絶縁層（図示しない）を介して第一の配線電極１ｃの上方に積層形成される第二の配線電極１ｄとを有し、画素電極１ａの一列に対して第一，第二の配線電極１ｃ，１ｄがそれぞれ２本接続されている。なお、第一，第二の配線電極の構成材料や形成方法については前述と同様である。かかる構成においては、走査電極を第一の配線電極１ｃに接続される画素電極１ａと交差する上部ユニットと第二の配線電極１ｄに接続される画素電極１ａと交差する下部ユニットとに分類することができ、それぞれ異なるユニットに分類される複数の走査電極を同一タイミングで駆動制御する通称Ｄｕａｌ  Ｓｃａｎ方式を適用することができる。かかる構成においても画素電極の各列間に配置される配線電極の少なくとも一部を絶縁層を介して積層形成する立体配線構造とすることで、画素電極間の距離の拡大を抑制でき配線電極の増加に係わらず表示部の高精細化を実現することができる。
【００２８】
次に、本発明の第二の実施形態として、同一タイミングで複数の走査電極を駆動制御する通称Ｄｕａｌ  Ｓｃａｎ方式を適用した有機ＥＬディスプレイについて説明する。前記有機ＥＬディスプレイは、その基本構成として、透光性のガラス基板上に互いに交差するように対向配置される信号電極と走査電極との間に少なくとも発光層を有する機能性有機層を積層形成してなる有機ＥＬ素子を備えるものである。
【００２９】
図５は、本発明の第二の実施形態である有機ＥＬディスプレイの電極構造の一例を示すものである。前記有機ＥＬディスプレイにおいては、例えば前記ガラス基板上に、画素電極１１ａと配線電極１１ｂとを有し陽極となる信号電極１１と、信号電極１１と交差するように形成され陰極となる走査電極１２と、が形成されている。
【００３０】
前記有機ＥＬディスプレイは、信号電極１１の画素電極１１ａと走査電極１２との対向個所を１ドットとして発光画素を形成し、この発光画素を複数配置して発光部を構成している。なお、信号電極１１と走査電極１２とが交差する部分で発光画素となる部分以外には絶縁膜が形成されている。これにより陽極と陰極の交点での短絡を防ぐことが可能となっている。
【００３１】
画素電極１１ａは、例えばＩＴＯ（Ｉｎｄｉｕｍ  Ｔｉｎ  Ｏｘｉｄｅ）等の透光性の導電材料をスパッタリング法等の方法で前記ガラス基板上に層状に形成し、例えばフォトリソグラフィー法にて所定形状にパターニングしてなるものである。本実施形態においては、画素電極１１ａはライン状に形成され、２個（本）の画素電極１１ａで１列を構成している。
【００３２】
配線電極１１ｂは、クロム（Ｃｒ）等の画素電極１１ａの構成材料よりも電気抵抗の低い材料をスパッタリング法等の方法で前記ガラス基板上に層状に形成し、例えばフォトリソグラフィー法にて所定形状にパターニングしてなるものである。配線電極１１ｂは、個々の画素電極１１ａと接続されるように配線される。また、配線電極１１ｂは、図６の要部断面図に示すように、配線電極１１ｂを絶縁性樹脂材料からなる絶縁層１３を介して積層配置して立体配線構造としている。なお、図６において、１４は前述の短絡防止用の絶縁膜であり、１５は機能性有機層であり、１６はガラス基板である。また、配線電極１１ｂはそれぞれ信号電極側駆動回路１７に接続される。信号電極側駆動回路１７は、後述する走査電極側駆動回路１８による走査電極１２の順次走査に応じて所定の画像を表示するべく配線電極１１ｂを介して各画素電極１１ａに給電するものである。
【００３３】
走査電極１２は、アルミニウム（Ａｌ）等の導電材料を蒸着法等によって層状に形成するとともに、絶縁性の樹脂材料をライン状に形成してなるリブ１２ａによって複数行のライン状に分離形成してなるものである。走査電極１２は、１個（本）の画素電極１１ａに対してその複数が交差するように形成される。また、走査電極１２は、同一の画素電極１１ａと交差するものを１ユニットとして分類され、それぞれ走査電極側駆動回路１８に接続される。走査電極側駆動回路１８は、所定のＤｕｔｙ比で異なるユニットに分類される複数の走査電極１２を同一タイミングで順次走査するものである。
【００３４】
かかる有機ＥＬディスプレイは、同一タイミングでＤｕｔｙ駆動される走査電極１２の２つのユニットに対してそれぞれ異なる配線電極１１ｂに接続された２個（本）の画素電極１１ａが対向するように配置するものである。すなわち、走査電極１２の２ラインを同時に走査する時に表示部の縦方向（走査電極１２に対して垂直方向）の２ドットを信号電極側駆動回路１７側で個々に点灯制御する事が可能となり、縦方向のドット数を増加させる場合であっても輝度寿命の低下，電圧上昇あるいは消費電流及び消費電力の増加を抑制することが可能となる。さらに、本実施形態の有機ＥＬディスプレイは、配線電極１１ｂの少なくとも一部を立体配線することによってドット間寸法を小さくすることができ、配線電極１１ｂの増加に係わらず表示部の高精細化を実現することができる。
【００３５】
なお、本実施形態では、走査電極１２の２ラインを同一タイミングで駆動制御するＤｕａｌ  Ｓｃａｎ方式に対応するものであったが、本発明にあっては、走査電極を３ユニット以上に分類し、走査電極の３ライン以上を同一タイミングで駆動制御する構成（Ｔｒｉｐｌｅ  Ｓｃａｎ方式）に対応するものであっても良い。かかる構成においても画素電極の各列間に配置される配線電極を絶縁層を介して積層形成する立体配線構造とすることで、配線電極の増加に係わらず表示部の高精細化を実現することができる。
【００３６】
次に、本発明の第三の実施形態である有機ＥＬディスプレイを添付図面に基づいて説明する。前記有機ＥＬディスプレイは、その基本構成として、透光性のガラス基板上に互いに交差するように対向配置される信号電極と走査電極との間に少なくとも発光層を有する機能性有機層を積層形成してなる有機ＥＬ素子を備えるものである。また、本実施形態の有機ＥＬディスプレイにおいては、前記ガラス基板の裏側（反対方向）から表示光を取り出すトップエミッション型を適用している。
【００３７】
図７は、本発明の第三の実施形態である前記有機ＥＬディスプレイの電極構造の一例を示すものである。前記有機ＥＬディスプレイにおいては、例えば前記ガラス基板上に、画素電極２１ａと配線電極２１ｂとを有し陽極となる信号電極２１と、信号電極２１と交差するように形成され陰極となる走査電極２２と、が形成されている。
【００３８】
前記有機ＥＬディスプレイは、信号電極２１の画素電極２１ａと走査電極２２との対向（交差）個所を１ドットとして発光画素を形成し、この発光画素を複数配置して発光部を構成している。なお、信号電極２１と走査電極２２とが交差する部分で発光画素となる部分以外には絶縁膜（図示しない）が形成されている。これにより陽極と陰極との短絡を防ぐことが可能となっている。
【００３９】
画素電極２１ａは、例えばアルミニウム（Ａｌ）等の導電材料をスパッタリング法等の方法で前記ガラス基板上に層状に形成し、例えばフォトリソグラフィー法にて所定形状にパターニングしてなるものである。本実施形態においては、画素電極２１ａは、略矩形状に形成され前記ガラス基板上にマトリクス状に複数配置される。
【００４０】
配線電極２１ｂは、アルミニウム等の電気抵抗の低い材料をスパッタリング法等の方法で前記ガラス基板上に層状に形成し、例えばフォトリソグラフィー法にて所定形状にパターニングしてなるものである。配線電極２１ｂは、絶縁層を介して画素電極２１ａの下方に配線形成され、画素電極２１ａの各列において各画素電極２１ａと交互に接続される。すなわち、本実施形態においては画素電極２１ａの各列に対して２本の配線電極２１ｂが異なる画素電極２１ａと接続される。また、配線電極２１ｂは、図８の要部断面図に示すように、絶縁層２３に形成される孔部２３ａを通して各画素電極２１ａと接続される。なお、図８において、２４は前述の短絡防止用の絶縁膜であり、２５は機能性有機層であり、２６はガラス基板である。また、配線電極２１ｂはそれぞれ前記ガラス基板の一辺側に向けて配線され、信号電極側駆動回路２７に接続される。信号電極側駆動回路２７は、後述する走査電極側駆動回路２８による走査電極２２の順次走査に応じて所定の画像を表示するべく配線電極２１ｂを介して各画素電極２１ａに給電するものである。
【００４１】
走査電極２２は、アルミニウム等の導電材料を蒸着法等によって層状に形成するとともに、絶縁性の樹脂材料をライン状に形成してなるリブ２２ａによって複数行のライン状に分離形成してなるものである。なお、本実施形態においてはトップエミッション型を適用するべく、走査電極２２を薄膜化等の手段によって前記機能性有機層から発せられる光を透過可能な透光性電極として形成する。なお、走査電極２２は、それぞれ画素電極２１ａの各列と交差し、画素電極２１ａの各列において異なる配線電極２１ｂに接続される２つの画素電極２１ａと対向するように形成される。また、走査電極２２はそれぞれ走査電極側駆動回路２８に接続される。走査電極側駆動回路２８は、所定のＤｕｔｙ比で走査電極２２を順次走査するものである。
【００４２】
かかる有機ＥＬディスプレイは、Ｄｕｔｙ駆動する走査電極２２の各ラインに対して異なる配線電極２１ｂに交互に接続された２個（本）の画素電極２１ａが対向するように配置するものである。すなわち、走査電極２２の１ライン走査時に表示部の縦方向（走査電極２２に対して垂直方向）の２ドットを信号電極側駆動回路２７側で個々に点灯制御する事ができ、縦方向のドット数を増加させる場合であっても輝度寿命の低下，電圧上昇あるいは消費電流及び消費電力の増加を抑制することが可能となる。さらに、本実施形態の有機ＥＬディスプレイは、配線電極２１ｂを絶縁層２３を介して画素電極２１ａの下方に配線することによってドット間寸法を小さくすることができ、配線電極２１ｂの増加に係わらず表示部の高精細化を実現することができる。
【００４３】
なお、本実施形態においては、画素電極２１ａの各列を２本の配線電極２１ｂで交互接続するものであったが、本発明は、３本以上の配線電極を画素電極の各列に対して異なる画素電極と接続する構成であっても良い。すなわち、走査電極の１ラインに対して異なる配線電極に接続される３つ以上の画素電極が対向して配置される構成とするものであっても良い。かかる構成においても配線電極を絶縁層を介して画素電極の下方に配置することで、配線電極の増加に係わらず表示部の高精細化を実現することができる。
【００４４】
次に、本発明の第四の実施形態として、同一タイミングで複数の走査電極を駆動制御する通称Ｄｕａｌ  Ｓｃａｎ方式を適用した有機ＥＬディスプレイを添付図面に基づいて説明する。前記有機ＥＬディスプレイは、その基本構成として、透光性のガラス基板上に互いに交差するように対向配置される信号電極と走査電極との間に少なくとも発光層を有する機能性有機層を積層形成してなる有機ＥＬ素子を備えるものである。また、本実施形態の有機ＥＬディスプレイにおいては、前記ガラス基板の裏側（反対方向）から表示光を取り出すトップエミッション型を適用している。
【００４５】
図９は、本発明の第四の実施形態である有機ＥＬディスプレイの電極構造の一例を示すものである。前記有機ＥＬディスプレイにおいては、例えば前記ガラス基板上に、画素電極３１ａと配線電極３１ｂとを有し陽極となる信号電極３１と、信号電極３１と交差するように形成され陰極となる走査電極３２と、が形成されている。
【００４６】
前記有機ＥＬディスプレイは、信号電極３１の画素電極３１ａと走査電極３２との対向個所を１ドットとして発光画素を形成し、この発光画素を複数配置して発光部を構成している。なお、信号電極３１と走査電極３２とが交差する部分で発光画素となる部分以外には絶縁膜が形成されている。これにより陽極と陰極の交点での短絡を防ぐことが可能となっている。
【００４７】
画素電極３１ａは、例えばアルミニウム（Ａｌ）等の導電材料をスパッタリング法等の方法で前記ガラス基板上に層状に形成し、例えばフォトリソグラフィー法にて所定形状にパターニングしてなるものである。本実施形態においては、画素電極３１ａはライン状に形成され、２個（本）の画素電極３１ａで１列を構成している。
【００４８】
配線電極３１ｂは、アルミニウム等の電気抵抗の低い材料をスパッタリング法等の方法で前記ガラス基板上に層状に形成し、例えばフォトリソグラフィー法にて所定形状にパターニングしてなるものである。配線電極３１ｂは、絶縁層を介して画素電極３１ａの下方に配線形成され、個々の画素電極３１ａと接続されるように配線される。また、配線電極３１ｂは、図１０の要部断面図に示すように、絶縁層３３に形成される孔部３３ａを通して各画素電極２１ａと接続される。なお、図１０において、３４は前述の短絡防止用の絶縁膜であり、３５は機能性有機層であり、３６はガラス基板である。また、配線電極３１ｂはそれぞれ信号電極側駆動回路３７に接続される。信号電極側駆動回路３７は、後述する走査電極側駆動回路３８による走査電極３２の順次走査に応じて所定の画像を表示するべく配線電極３１ｂを介して各画素電極３１ａに給電するものである。
【００４９】
走査電極３２は、アルミニウム（Ａｌ）等の導電材料を蒸着法等によって層状に形成するとともに、絶縁性の樹脂材料をライン状に形成してなるリブ３２ａによって複数行のライン状に分離形成してなるものである。走査電極３２は、１個（本）の画素電極３１ａに対してその複数が交差するように形成される。また、走査電極３２は、同一の画素電極３１ａと交差するものを１ユニットとして分類され、それぞれ走査電極側駆動回路１８に接続される。走査電極側駆動回路１８は、所定のＤｕｔｙ比で異なるユニットに分類される複数の走査電極３２を同一タイミングで順次走査するものである。
【００５０】
かかる有機ＥＬディスプレイは、同一タイミングでＤｕｔｙ駆動される走査電極３２の２つのユニットに対してそれぞれ異なる配線電極３１ｂに接続された２個（本）の画素電極３１ａが対向するように配置するものである。すなわち、走査電極３２の２ラインを同時に走査する時に表示部の縦方向（走査電極３２に対して垂直方向）の２ドットを信号電極側駆動回路３７側で個々に点灯制御する事が可能となり、縦方向のドット数を増加させる場合であっても輝度寿命の低下，電圧上昇あるいは消費電流及び消費電力の増加を抑制することが可能となる。さらに、本実施形態の有機ＥＬディスプレイは、配線電極３１ｂを絶縁層３３を介して画素電極３１ａの下方に配線することによってドット間寸法を小さくすることができ、配線電極３１ｂの増加に係わらず表示部の高精細化を実現することができる。
【００５１】
なお、本実施形態では、走査電極３２の２ラインを同一タイミングで駆動制御するＤｕａｌ  Ｓｃａｎ方式に対応するものであったが、本発明にあっては、走査電極を３ユニット以上に分類し、走査電極の３ライン以上を同一タイミングで駆動制御する構成（Ｔｒｉｐｌｅ  Ｓｃａｎ方式）に対応するものであっても良い。かかる構成においても配線電極を絶縁層を介して画素電極の下方に配置することで、配線電極の増加に係わらず表示部の高精細化を実現することができる。
【図面の簡単な説明】
【００５２】
【図１】本発明の第一の実施形態である有機ＥＬディスプレイの電極構造を示す概観図である。
【図２】同上有機ＥＬディスプレイの要部拡大図である。
【図３】同上有機ＥＬディスプレイの要部断面図である。
【図４】同上有機ＥＬディスプレイの電極構造の別例を示す要部拡大図である。
【図５】本発明の第二の実施形態である有機ＥＬディスプレイの電極構造を示す概観図である。
【図６】同上有機ＥＬディスプレイの要部断面図である。
【図７】本発明の第三の実施形態である有機ＥＬディスプレイの電極構造を示す概観図である。
【図８】同上有機ＥＬディスプレイの要部断面図である。
【図９】本発明の第四の実施形態である有機ＥＬディスプレイの電極構造を示す概観図である。
【図１０】同上有機ＥＬディスプレイの要部断面図である。
【符号の説明】
【００５３】
１，１１，２１，３１  信号電極
１ａ，１１ａ，２１ａ，３１ａ  画素電極
１ｂ，１１ｂ，２１ｂ，３１ｂ  配線電極
２，１２，２２，３２  走査電極
２ａ，１２ａ，２２ａ，３２ａ  リブ
３，１３，２３，３３  絶縁層
２３ａ，３３ａ  孔部
４，１４，２４，３４  絶縁膜
５，１５，２５，３５  機能性有機層
６，１６，２６，３６  ガラス基板
７，１７，２７，３７  信号電極側駆動回路
８，１８，２８，３８  走査電極側駆動回路
【図１】
2008181986.tif 000003
【図２】
2008181986.tif 000004
【図３】
2008181986.tif 000005
【図４】
2008181986.tif 000006
【図５】
2008181986.tif 000007
【図６】
2008181986.tif 000008
【図７】
2008181986.tif 000009
【図８】
2008181986.tif 000010
【図９】
2008181986.tif 000011
【図１０】
2008181986.tif 000012